(57)【要約】【課題】早期に磨滅したり剥離することがなく、既設シートに簡単に施工でき、シートが暗色でも発光輝度が高くて明瞭に視認できる蓄光性表示構造体と、その施工方法と、これに使用される棒状充填材を提供する。【解決手段】シート１の表面に切込み溝３が所望の表示形状となるように形成され、蓄光性発光体を含んだ樹脂コア４ａの少なくとも上面を除いた外面を白色樹脂層４ｂで被覆してなる棒状充填材４が、その樹脂コア４ａの上面を露出させるようにシート１の切込み溝３に埋設されて蓄光性の表示が形成された蓄光性表示構造体とする。施工方法は、樹脂コアの外面全体を白色樹脂層で被覆してなる棒状充填材を加熱により軟化溶融させながらシートの切込み溝に盛り上がるように充填して溶着し、盛り上がり部分を切除して樹脂コアの上面を露出させるか、又は、樹脂コアの少なくとも上面を除いた外面を白色樹脂層で被覆してなる棒状充填材を切込み溝に埋め込んで接着する。【選択図】図２
2005115189.tif 000002
【特許請求の範囲】
【請求項１】
シートの表面に切込み溝が所望の表示形状となるように形成され、蓄光性発光体を含んだ樹脂コアの少なくとも上面を除いた外面を白色樹脂層で被覆してなる棒状充填材が、その樹脂コアの上面を露出させるようにシートの切込み溝に埋設されて蓄光性の表示が形成されていることを特徴とする蓄光性表示構造体。
【請求項２】
シートの表面に切込み溝を所望の表示形状となるように形成し、蓄光性発光体を含んだ樹脂コアの外面全体を白色樹脂層で被覆してなる棒状充填材を加熱により軟化溶融させながらシートの切込み溝に盛り上がるように充填して溶着し、この盛り上がり部分を切除して樹脂コアの上面を露出させることを特徴とする蓄光性表示構造体の施工方法。
【請求項３】
シートの表面に切込み溝を所望の表示形状となるように形成し、蓄光性発光体を含んだ樹脂コアの少なくとも上面を除いた外面を白色樹脂層で被覆してなる棒状充填材を、その樹脂コアの上面が露出するようにシートの切込み溝に埋め込んで接着することを特徴とする蓄光性表示構造体の施工方法。
【請求項４】
蓄光性発光体を含んだ樹脂コアの外面全体を白色樹脂層で被覆してなることを特徴とする棒状充填材。
【請求項５】
蓄光性発光体を含んだ樹脂コアの少なくとも上面を除いた外面を白色樹脂層で被覆してなることを特徴とする棒状充填材。
【発明の詳細な説明】
【技術分野】
【０００１】
本発明は、暗闇で誘導表示の役目を果たす蓄光性表示構造体とその施工方法、並びに、これに用いる棒状充填材に関する。
【背景技術】
【０００２】
非常時に暗闇の中で避難する場合、安全に非難できるように誘導表示の役目を果たすものとして、通路の床や壁に蓄光性塗料を塗布したり、蓄光性シールを貼付けたりして誘導表示を形成し、暗闇の中で誘導表示が発光するようにした通路が知られている（特開２００２−３４１８１１号公報参照）。
また、樹脂製床タイルに所望の表示形状の穴を開け、この穴の形状に合うように切抜いた蓄光性シートを埋込むことによって、暗闇の中で発光する誘導表示を形成した床タイルも知られている（特開平８−１５２８４２号公報参照）。
【０００３】
しかしながら、前者の通路のように蓄光性塗料や蓄光性シールで誘導表示を形成したものは、歩行時や清掃時の摩擦によって誘導表示が早期に磨滅したり剥離したりするという問題があった。そして、後者の床タイルは、穴の形状に合致するように蓄光性シートを切抜いて隙間なく埋込む作業が容易でなく、特に、床タイルを貼付けた後は誘導表示を追加形成することが難しいという問題があった。また、これらはいずれも、壁面、床面、床タイル等が光反射性に劣る暗色に着色されていると、誘導表示の発光輝度が低下して明瞭に視認し難いという問題もあった。
【特許文献１】特開２００２−３４１８１１号公報
【特許文献２】特開平８−１５２８４２号公報
【発明の開示】
【発明が解決しようとする課題】
【０００４】
本発明は上記の問題に対処すべくなされたもので、早期に磨滅したり剥離することがなく、既に貼付けられた既設のシートに対しても簡単に施工することができ、シートが暗色であろうとなかろうと発光輝度が高くて明瞭に視認できる蓄光性表示構造体を提供することを解決課題としている。そして、この蓄光性表示構造体の簡単な施工方法と、この施工方法に使用される棒状充填材を提供することも解決課題としている。
【課題を解決するための手段】
【０００５】
上記の課題を解決するため、本発明に係る蓄光性表示構造体は、シートの表面に切込み溝が所望の表示形状となるように形成され、蓄光性発光体を含んだ樹脂コアの少なくとも上面を除いた外面を白色樹脂層で被覆してなる棒状充填材が、その樹脂コアの上面を露出させるようにシートの切込み溝に埋設されて蓄光性の表示が形成されていることを特徴とするものである。
【０００６】
また、本発明に係る蓄光性表示構造体の施工方法は、シートの表面に切込み溝を所望の表示形状となるように形成し、蓄光性発光体を含んだ樹脂コアの外面全体を白色樹脂層で被覆してなる棒状充填材を加熱により軟化溶融させながらシートの切込み溝に盛り上がるように充填して溶着し、この盛り上がり部分を切除して樹脂コアの上面を露出させることを特徴とするものである。
【０００７】
そして、本発明に係るもう一つの施工方法は、シートの表面に切込み溝を所望の表示形状となるように形成し、蓄光性発光体を含んだ樹脂コアの少なくとも上面を除いた外面を白色樹脂層で被覆してなる棒状充填材を、その樹脂コアの上面が露出するようにシートの切込み溝に埋め込んで接着することを特徴とするものである。
【０００８】
更に、本発明に係る棒状充填材は、蓄光性発光体を含んだ樹脂コアの外面全体を白色樹脂層で被覆してなることを特徴とするものであり、本発明に係るもう一つの棒状充填材は、蓄光性発光体を含んだ樹脂コアの少なくとも上面を除いた外面を白色樹脂層で被覆してなることを特徴とするものである。
【発明の効果】
【０００９】
本発明の蓄光性表示構造体のように、シートの表面に所望の表示形状となるように形成された切込み溝に、棒状充填材を樹脂コアの上面が露出するように埋設して蓄光性の表示を形成していると、棒状充填材の樹脂コアに含まれている蓄光性発光体が暗闇の中で発光して樹脂コアの露出した上面からその光を放出するため、その表示を確実に視認することができ、非常時に誘導表示の役目を果たす。しかも、この棒状充填材は、樹脂コアの少なくとも上面を除いた外面を白色樹脂層で被覆したものであるから、太陽光や照明灯の光があるときは、露出上面から樹脂コアに入った光が蓄光性発光体に当たると共に、樹脂コアを透過した光が白色樹脂層で反射されて再び蓄光性発光体に当たるため、蓄光性発光体の蓄光作用が助長される。そして、暗闇の中では蓄光性発光体からの発光が樹脂コアの露出上面から直接放出されると共に、白色樹脂層で反射された光も樹脂コアの露出上面から放出されるので、蓄光性発光体の発光作用も助長されて発光輝度が向上する。従って、この蓄光性表示構造体は、そのシートが暗色であろうとなかろうと、良好な蓄光作用と発光作用を発揮して十分な発光輝度を得ることができるため、視認性が良好で安全に誘導、避難させることができる。
【００１０】
また、本発明の蓄光性表示構造体のように、シートに形成した切込み溝に棒状充填材が埋設されていると、歩行時や清掃時の摩擦によって棒状充填材が早期に磨滅したり剥離することがないので、耐久性も向上する。
【００１１】
このような本発明の蓄光性表示構造体は、そのシートが貼付け前のシートの場合でも貼付け後の既設シートの場合でも、上述した本発明の二つの施工方法のいずれかによって簡単に施工することができる。そして、蓄光性発光体を含んだ樹脂コアの外面全体を白色樹脂層で被覆した本発明の棒状充填材は、本発明の前者の施工方法に使用され、また、蓄光性発光体を含んだ樹脂コアの少なくとも上面を除いた外面を白色樹脂層で被覆してなる本発明のもう一つの棒状充填材は、本発明の後者の施工方法に使用される。
【発明を実施するための最良の形態】
【００１２】
以下、図面を参照して本発明の具体的な実施形態を詳述するが、本発明はこの実施形態のみに限定されるものではない。
【実施例１】
【００１３】
図１は本発明に係る蓄光性表示構造体の一実施形態を示す斜視図、図２はその拡大部分断面図である。
【００１４】
図１の実施形態は階段の踊り場に施工した本発明の蓄光性表示構造体を例示している。即ち、この階段の踊り場には、合成樹脂製の正方形のシート１（通称、床タイル）が縦横に並べられて貼付けられている。このシート１は、ポリエチレンやポリプロピレンなどのオレフィン系樹脂、或いは、ポリ塩化ビニルなどのビニル系樹脂を基材樹脂とし、必要に応じて充填材、可塑剤、着色剤、改質剤、強化剤等を配合することにより諸物性を改善した単層又は複層のシートである。この踊り場に貼付けられるシートは正方形のものに限らず、長尺の合成樹脂製シートでも勿論良い。
【００１５】
上記のシート１の表面には、建物の階数を示す「２Ｆ」の文字形状の蓄光性の表示２ａと、進行方向を示す「矢印」形状の蓄光性の表示２ｂが形成されている。また、階段に貼着されたシート１の表面（段鼻部の上面）にも、直線形状の蓄光性表示２ｃが形成されている。特に、踊り場に隣設している階段の第１段目は、他の段よりも蓄光性表示２ｃの本数を増減させることにより、第一段目又は最終段であることが視覚的に認識できるようにしている。
【００１６】
これらの蓄光性の表示２ａ，２ｂ，２ｃはいずれも、図２に示すような断面構造を有している。即ち、シート１の表面にはＶ字形の断面形状を有する切込み溝３が形成され、この切込み溝３に合致した三角形の断面形状を有する棒状充填材４が隙間なく埋設されている。この棒状充填材４は、蓄光性発光体を含んだ三角形の断面形状を有する樹脂コア４ａと、白色顔料を含んだ白色樹脂層４ｂとからなるもので、樹脂コア４ａの上面を除いた外面、つまりＶ字状に傾斜した両側面が白色樹脂層４ｂによって被覆されている。そして、この樹脂コア４ａの上面が露出するように棒状充填材４が切込み溝３に埋設固定され、樹脂コア４ａの露出した上面とシート１の表面が面一になっている。尚、シート１に施す切込み溝３の断面形状は、図２に示すようなＶ字形のみならず、半円形、Ｕ字形、凹形などでもよく、それぞれの断面形状の切込み溝３に合致するように棒状充填材４が充填される。
【００１７】
樹脂コア４ａや白色樹脂層４ｂは、シート１の基材樹脂と同様の熱可塑性樹脂又は相溶性のある熱可塑性樹脂を基材樹脂としたもので、例えばシート１が上記のようなオレフィン系樹脂やビニル系樹脂などを基材樹脂とする場合には、同様のオレフィン系樹脂やビニル系樹脂などが樹脂コア４ａ及び白色樹脂層４ｂの基材樹脂として好適に使用される。このように樹脂コア４ａ及び白色樹脂層４ａの基材としてシート１の基材樹脂と同様の熱可塑性樹脂を使用すると、後述するように棒状充填材４を切込み溝３の内面に溶着又は接着することによって、剥離しないように強固に固定することができる。
【００１８】
樹脂コア４ａに含有させる蓄光性発光体は、従来からから汎用されている硫化物系の蓄光性発光体でもよいが、硫化物系の蓄光性発光体に比べて残光時間や発光輝度が１０倍以上と優れたアルミン酸塩系の蓄光性発光体を含有させることが望ましい。
【００１９】
そのようなアルミン酸塩系蓄光性発光体としては、例えば根本特殊化学（株）製の「Ｎ−夜光」（商品名）が挙げられる。このアルミン酸塩系蓄光性蛍光体は、一般式：ＭＡｌ２Ｏ４・ＸＫ・ＹＬ・ＺＰ（ここで、Ｍはカルシウム、バリウム、ストロンチウム、マグネシウム及びこれらの混合物からなる群れから選択された一種の金属、Ｘはユーロピウムからなる賦活剤、Ｙ及びＺはランタン系列元素並びにマンガン、スズ及びビスマスからなる群れから選択された賦活助剤、ＫはＭに対するモル％で０．００１〜１０、ＬはＭに対するモル％で０〜１０、ＰはＭに対するモル％で０〜１０である）で表されるものである。
【００２０】
上記の一般式に包含される蓄光性としては、ユーロピウム賦活アルミン酸ストロンチウム、ユーロピウム賦活−ジスプロシウム共賦活アルミン酸ストロンチウム、ユーロピウム賦活−ネオジム共賦活アルミン酸ストロンチウム、ユーロピウム賦活−プラセオジム共賦活アルミン酸ストロンチウム、ユーロピウム賦活−サマリウム共賦活アルミン酸ストロンチウム、ユーロピウム賦活−スズ共賦活アルミン酸ストロンチウム、ユーロピウム賦活−ネオジム共賦活アルミン酸カルシウム、ユーロピウム賦活−サマリウム共賦活アルミン酸カルシウム、ユーロピウム賦活−ツリウム共賦活アルミン酸カルシウム、ユーロピウム賦活−ネオジム−ランタン共賦活アルミン酸カルシウム、ユーロピウム賦活−ネオジム−ガドリニウム共賦活アルミン酸カルシウム、ユーロピウム賦活−ネオジム−エルビウム共賦活アルミン酸カルシウム等が例示される。ちなみに、これらのアルミン酸塩系蓄光性発光体は、十分に蓄光した状態では、暗闇で２０〜３０時間発光できる。
【００２１】
樹脂コア４ａの蓄光性発光体の含有量は、１０〜５０重量％の範囲とするのが適当であり、好ましくは２０〜４０重量％の範囲である。
【００２２】
一方、白色樹脂層４ｂに含有させる白色顔料としては、酸化チタン、炭酸カルシウム、炭酸バリウム、硫酸バリウム等が使用される。この白色顔料の含有量は、１〜２０重量％の範囲とするのが適当であり、好ましくは２〜１０重量％の範囲である。
【００２３】
白色樹脂層４ｂの厚さは０．０５〜２．０ｍｍの範囲とするのが好ましく、これよりも薄くなると、白色樹脂層４ｂによる光の反射能が低下するため、樹脂コア４ａに含まれる蓄光性発光体の蓄光作用及び発光作用を助長することが難くなって、発光輝度の低下を招くといった不都合が生じる。逆に、上記の範囲よりも厚くなると、相対的に樹脂コア４ａの占める割合が少なくなるので、発光が弱くなるといった不都合を生じる。
【００２４】
蓄光性の表示２ａ、２ｂ、２ｃの太さ、換言すれば切込み溝３の上端開口部の幅寸法は、通常２〜５ｍｍ程度とするのが適当であり、これより細くなると表示が見辛くなるといった不都合を生じ、逆に上記より太くなると、溝切り作業や棒状充填材４を埋設する作業が面倒になるといった不都合を生じる。ただし、溝切り作業が可能であれば、最大８０ｍｍ程度の極太の表示２ａ，２ｂ，２ｃを形成することも可能である。なお、図１１に示すように、表示２ｄを輪郭で表すようにすると、切込み溝や棒状充填材が細くても、太くて見やすい表示２ｄを形成できる利点がある。
【００２５】
上記のような蓄光性表示構造体は、棒状充填材４の樹脂コア４ａに含まれる蓄光性発光体が太陽光や照明灯の下で蓄光し、暗闇の中では発光して樹脂コア４ａの露出した上面からその光を放出するため、非常時の暗闇の中で発光する表示２ａ，２ｂ，２ｃを確実に視認することができる。従って、図１に例示の実施形態においては、発光する表示２ｃを見て階段を踏み外すことなく昇降でき、踊り場では発光する表示２ａ，２ｂを見て避難方向と階数を確認しながら安全に避難することができる。
【００２６】
しかも、棒状充填材４の樹脂コア４ａの上面を除いた外面（Ｖ字状に傾斜した両側面）が白色樹脂層４ｂで被覆され、既述したように白色樹脂層４ｂの光の反射によって、樹脂コア４ａに含まれる蓄光性発光体の蓄光作用及び発光作用が助長されるため、シート１（切込み溝３の内面）が暗色であろうとなかろうと、十分な発光輝度を得ることができる。そして、シート１の切込み溝３に埋設された棒状充填材４は、歩行時や清掃時の摩擦によって早期に磨滅することがなく、勿論、剥離することもないので、耐久性が大幅に向上する。
【００２７】
以上のような蓄光性表示構造体は、以下に説明する本発明の施工方法によって貼付前のシートは勿論、貼付後の既設シートにも簡単に施工することができる。
【実施例２】
【００２８】
図３は本発明の施工方法の一実施形態を説明する断面図、図５はこの施工方法に用いられる本発明の棒状充填材の一実施形態を示す斜視図である。
【００２９】
この施工方法によれば、図３（ａ）に示すように、シート１の表面にＶ字状の断面形状を有する切込み溝３を所望の表示形状となるように形成する。この溝切り作業はＶ字形の切断刃を備えた溝切りカッターを用いて既設のシートに対しても簡単に行うことができる。
【００３０】
次いで、図５に示す棒状充填材４０を樹脂溶接機等に填装し、棒状充填材４０を加熱により軟化溶融させて変形しながら、図３（ｂ）に示すように棒状充填材４０をシート１の切込み溝３に盛り上がるように充填して溶着する。
【００３１】
この棒状充填材４０は、蓄光性発光体を含んだ円形の断面形状を有する樹脂コア４ａの外面全体を厚さ０．０５〜２．０ｍｍ程度の白色樹脂層４ｂで被覆したものであって、既述したように、樹脂コア４ａ及び白色樹脂層４ｂは、シート１の基材樹脂と同様又は相溶性のある熱可塑性樹脂（例えば、既述したオレフィン系樹脂やビニル系樹脂）を基材樹脂とし、樹脂コア４ａには既述した蓄光性発光体を既述した含有量で含有させる一方、白色樹脂層４ｂには既述した白色顔料を既述した含有量で含有させたものである。
【００３２】
棒状充填材４０の充填、溶着が終わると、図３（ｃ）に示すように棒状充填材４０の盛り上がり部分を切除して樹脂コア４ａの上面を露出させ、蓄光性の表示を形成して施工を完了する。
【実施例３】
【００３３】
図４は本発明の施工方法の他の実施形態を説明する断面図、図６〜図１０はこの施工方法に用いられる本発明の棒状充填材の種々の実施形態を示す斜視図である。
【００３４】
この施工方法によれば、図４（ａ）に示すように、シート１の表面にＶ字状の断面形状を有する切込み溝３を所望の表示形状となるように形成し、切込み溝３の両側縁にマスキングテープ５，５を貼付ける。そして、図６に示す棒状充填材４１を使用し、図４（ｂ）に示すように、該棒状充填材４１の樹脂コア４ａの上面が露出するように該棒状充填材４１を切込み溝３に埋め込んで接着する。
【００３５】
この棒状充填材４１は、切込み溝３に対応した三角形の断面形状を有するもので、蓄光性発光体を含んだ三角形の断面形状を有する樹脂コア４ａの傾斜した両側面が厚さ０．０５〜２．０ｍｍ程度の白色樹脂層４ｂで被覆されている。そして、樹脂コア４ａには既述した蓄光性発光体が既述した含有量で含有されており、白色樹脂層４ｂには既述した白色顔料が既述した含有量で含有されている。この棒状充填材４１は、シート１の切込み溝３に溶着されるものではなく、接着されるものであるため、樹脂コア４ａ及び白色樹脂層４ｂの基材樹脂は、必ずしもシート１の基材樹脂と同様又は相溶性のある熱可塑性樹脂（例えば、既述したオレフィン系樹脂やビニル系樹脂）である必要はなく、シート１との接着性に優れた樹脂であればよい。
【００３６】
棒状充填材４１を切込み溝３に接着する接着剤は特に限定されないが、溶剤型の接着剤を使用するのが適当である。溶剤型接着材としては、例えば、シート１や棒状充填材４１の基材樹脂がビニル系樹脂である場合には、テトラヒドロフランとメチルエチルケトンを混合した溶剤型接着剤などが好ましく使用される。
【００３７】
棒状充填材４１の切込み溝３への埋め込み及び接着が終わると、図４（ｃ）に示すように、マスキングテープをはがして施工を完了する。図４（ａ）に示すようにシート１の切込み溝３の両側縁にマスキングテープ５，５を貼付け、棒状充填材４１の埋設後にマスキングテープ５，５を剥がすようにすると、接着剤が切込み溝３の両側縁に滲み出てもマスキングテープ５，５と共に除去できるため、施工仕上がりが良くなる。
【００３８】
図４に示す実施形態では、シート１にＶ字形の切込み溝３を形成するため、この切込み溝３に対応合致した図６に示す三角形断面の棒状充填材４１を使用しているが、棒状充填材としては種々の断面形状のものを使用することができる。即ち、シートにＵ字形の断面形状を有する切込み溝を形成する場合は、これに対応した図７に示すようなＵ字形の断面形状を有する棒状充填材４２を使用でき、シートに四角形の断面形状を有する切込み溝を形成する場合には、これに対応した図８又は図１０に示すような四角形の断面形状を有する棒状充填材４３，４５を使用することができる。また、シートに逆台形の断面形状を有する切込み溝を形成する場合には、これに対応した図９に示すような逆台形の断面形状を有する棒状充填材４４を使用することができる。
【００３９】
図６〜図９に示す棒状充填材４１，４２，４３，４４はいずれも、樹脂コア４ａの上面を除いた外面を白色樹脂層４ｂで被覆しているが、図１０に示す棒状充填材４５のように、樹脂コア４ａの上面と左右側面を除いた底面のみを白色樹脂層４ｂで被覆したものでもよい。このように樹脂コア４ａの底面のみを白色樹脂層４ｂで被覆した棒状充填材４５でも、白色樹脂層４ｂの光反射により樹脂コア４ａ中の蓄光性発光体の蓄光作用及び発光作用が助長されて発光輝度が向上するため、本発明の目的を達成できるからである。
【００４０】
尚、これらの棒状充填材４１，４２，４３，４４，４５の樹脂コア４ａ及び白色樹脂層４ｂはいずれも既述した通りであるので、説明を省略する。
【００４１】
以上、代表的な実施形態を挙げて本発明を説明したが、本発明は階段の踊り場や段鼻部の他、例えば通路の床シート、家屋壁面の壁シートなど、目につきやすい箇所の全てに施工し得るものである。
【図面の簡単な説明】
【００４２】
【図１】本発明に係る蓄光性表示構造体の一実施形態を示す斜視図である。
【図２】同蓄光性表示構造体の拡大部分断面図である。
【図３】（ａ）（ｂ）（ｃ）は本発明の施工方法の一実施形態を順次説明する断面図である。
【図４】（ａ）（ｂ）（ｃ）は本発明の施工方法の他の実施形態を順次説明する断面図である。
【図５】本発明の棒状充填材の一実施形態を示す斜視図である。
【図６】本発明の棒状充填材の他の実施形態を示す斜視図である。
【図７】本発明の棒状充填材の更に他の実施形態を示す斜視図である。
【図８】本発明の棒状充填材の更に他の実施形態を示す斜視図である。
【図９】本発明の棒状充填材の更に他の実施形態を示す斜視図である。
【図１０】本発明の棒状充填材の更に他の実施形態を示す斜視図である。
【図１１】本発明の蓄光性表示構造体の表示の一例を示す平面図である。
【符号の説明】
【００４３】
１    シート
２ａ，２ｂ，２ｃ，２ｄ    蓄光性の表示
３    切込み溝
４，４０，４１，４２，４３，４４，４５    棒状充填材
４ａ    樹脂コア
４ｂ    白色樹脂層
５    マスキングテープ
【図１】
2005115189.tif 000003
【図２】
2005115189.tif 000004
【図３】
2005115189.tif 000005
【図４】
2005115189.tif 000006
【図５】
2005115189.tif 000007
【図６】
2005115189.tif 000008
【図７】
2005115189.tif 000009
【図８】
2005115189.tif 000010
【図９】
2005115189.tif 000011
【図１０】
2005115189.tif 000012
【図１１】
2005115189.tif 000013